(57)【要約】【課題】蓋開閉の自由度が高く、水道メーターが狭い空間に配置され、その周辺にガス配管などの障害物が設置してあるような場合でも、蓋本体を確実に開放操作できる水道メーターの蓋構造を提供する。【解決手段】主ケース１にねじ込まれるケース蓋５の装着される蓋構造である。蓋構造は、ケース蓋５に係合装着されて、ケース蓋５に対して相対回動できるベース枠１３と、ベース枠１３で第１軸２５の回りに回動開閉自在に軸支される連結ピース１４と、連結ピース１４で第２軸３２の回りに揺動開閉自在に軸支される蓋本体１５とで構成する。以て、蓋本体１５を、ケース蓋５の周方向の任意位置において、第１・第２の両軸２５・３２の回りに開閉できるようにする。【選択図】図１
2006058208.tif 000002
【特許請求の範囲】
【請求項１】
主ケース（１）の内面上部に配置した表示部（３）が表示窓（４）で覆われ、表示部（３）および表示窓（４）が、主ケース（１）にねじ込んだケース蓋（５）で固定され、ケース蓋（５）にその開口上面を開閉する蓋構造が設けられている水道メーターであって、
蓋構造が、ケース蓋（５）に係合装着されて、ケース蓋（５）に対して相対回動できるベース枠（１３）と、ベース枠（１３）で垂直方向の第１軸（２５）の回りに回動開閉自在に軸支される連結ピース（１４）と、連結ピース（１４）で水平方向の第２軸（３２）の回りに揺動開閉自在に軸支される蓋本体（１５）とを含み、
蓋本体（１５）が、ケース蓋（５）の周方向の任意位置において、第１・第２の両軸（２５・３２）まわりに開閉できることを特徴とする水道メーターの蓋構造。
【請求項２】
ベース枠（１３）が、ケース蓋（５）の開口内縁に嵌まり込む筒壁（１８）と、筒壁（１８）の上端から張り出されるフランジ壁（１９）と、筒壁（１８）の下端周縁の複数箇所に突設されて、ケース蓋（５）の開口下縁に係合する係合突起（２０）とを一体に備えており、
ベース枠（１３）をケース蓋（５）に装着固定した状態において、フランジ壁（１９）がケース蓋（５）の上端面で受け止められ、蓋本体（１５）がフランジ壁（１９）で受け止められている請求項１記載の水道メーターの蓋構造。
【請求項３】
ベース枠（１３）のフランジ壁（１９）の一部に連結部（２１）が形成されており、
連結ピース（１４）は、基壁（２４）の下面に突設される第１軸（２５）と、基壁（２４）の上面に突設されて、蓋本体（１５）に設けたヒンジ腕（３０）を第２軸（３２）を介して軸支するヒンジブラケット（２６）とを一体に備えており、
第１軸（２５）を連結部（２１）に設けた連結穴（２８）に圧嵌係合して、連結ピース（１４）とベース枠（１３）とが相対回転自在に連結してある請求項１記載の水道メーターの蓋構造。
【請求項４】
主ケース（１）の内面上部に配置した表示部（３）が表示窓（４）で覆われ、表示部（３）および表示窓（４）が、主ケース（１）にねじ込んだケース蓋（５）で固定され、ケース蓋（５）にその開口上面を開閉する蓋構造が設けられており、
蓋構造が、ケース蓋（５）に係合装着されて、ケース蓋（５）に対して相対回動できるベース枠（１３）と、ベース枠（１３）で水平面に沿って揺動開閉自在に軸支される一対の蓋体（４０）とを含み、
一対の蓋体（４０）が互いに逆向きに開放揺動して表示窓（４）の上方外面を開放できることを特徴とする水道メーターの蓋構造。
【請求項５】
一対の蓋体（４０）の接合縁（４２）の一端に、それぞれ揺動腕（４３）が突設されており、
ベース枠（１３）の上面一部に、両蓋体（４０）の揺動腕（４３）をピン（５０）を介して軸支する軸受部（４９）が形成されており、
揺動腕（４３）と軸受部（４９）との間に、一対の蓋体（４０）を開放付勢するばね（４１）と、ばね（４１）の付勢力に抗して一対の蓋体（４０）を閉じ姿勢に保持する蓋ロック機構とが設けられており、
蓋ロック機構が、軸受部（４９）でロック姿勢とロック解除姿勢とに切り換え可能に支持されるロックピース（５１）と、ロックピース（５１）と各蓋体（４０）との間に設けられて互いに係脱できるロック爪（５２）、および係合部（５３）とで構成されており、
ロックピース（５１）をロック解除姿勢に切り換え操作することにより、一対の蓋体（４０）を自動開放できるようにした請求項４記載の水道メーターの蓋構造。
【発明の詳細な説明】
【技術分野】
【０００１】
本発明は、水道メーターの表示部を開閉する蓋構造、なかでも蓋本体が複数方向へ開閉できる形態の蓋構造に関する。
【背景技術】
【０００２】
この種の蓋構造として、蓋本体と、蓋本体を支持するベースリングとで構成した蓋構造が公知である（特許文献１、２）。特許文献１、２のいずれの蓋構造においても、蓋本体はベースリングで上下に揺動開閉できるよう支持され、ベースリングは主ケースにねじ込んだケース蓋の周面に沿って回転変位できる。こうした蓋構造によれば、ベースリングを回転操作することにより、蓋本体の揺動軸の位置を周方向へ変更できるので、水道メーターの近傍に配管等が配置してある場合でも、蓋本体を確実に開閉操作して表示窓を開放できる。
【０００３】
上記の蓋構造とは別に、蓋本体と、蓋本体を支持する連結ピースとで構成した蓋構造がある（特許文献３）。そこでは、連結ピースがケース蓋に対して横軸回りに揺動開閉可能に軸支してあり、さらに蓋本体が連結ピースで縦軸回りに回動自在に軸支してある。この蓋構造によれば、蓋本体を連結ピースごと開放揺動操作できるうえ、必要時には、蓋本体を縦軸回りにスライド開放できる。さらに、任意のスライド開放位置において、蓋本体を横軸回りに開放揺動操作できる。
【０００４】
【特許文献１】実公平７−８９７号公報（第２頁第３欄第２８〜３０行、第１図）
【特許文献２】実開平４−２１８１６号公報（第６頁、第１図）
【特許文献３】特開平１１−８３５９１号公報（段落番号００１７、図１）
【発明の開示】
【発明が解決しようとする課題】
【０００５】
特許文献１の蓋構造においては、ベースリングをケース蓋に対して相対回動可能に外嵌装着するので、ケース蓋の上端周面に係合溝を周回状に形成する必要があり、ケース蓋の加工に余分な手間が掛かる。既存構造の水道メーターに適用できない不利もある。
【０００６】
その点、特許文献２の蓋構造においては、ケース蓋の開口内縁にベースリングを係合装着するので、特許文献２の蓋構造に比べると、ケース蓋に施すべき加工の手間を軽減できるが、僅かとは言え、蓋本体とベースリングの一部がケース蓋の上面の段部に外嵌するので、ケース蓋に段部を形成するための加工を施す必要がある。また、特許文献１、２の蓋構造において表示窓を開放するためには、蓋本体を横軸回りに上開き揺動操作する必要があるので、例えば、ガス管の一部が水道メーターの上方を横切るような場合に、蓋本体を起立開放操作できないことがある。
【０００７】
特許文献３の蓋構造によれば、蓋本体を横軸回りと縦軸回りとのいずれの方向へも開放操作できるので、上記のようにガス管の一部が水道メーターの上方を横切るような場合であっても、蓋本体を縦軸周りにスライド開放することで表示窓を開放できる。しかし、連結ピースとケース蓋とが横軸（ピン）を介して連結してあるため、横軸位置が固定化され、蓋本体を揺動開閉できる位置に制約がある。このように、蓋本体を揺動開閉する際の自由度が低いと、蓋本体を縦軸周りに充分にスライド開放できない状況において、表示窓を確実に開放できないおそれがある。連結ピースをケース蓋に対して横軸を介して連結するので、ケース蓋に連結ピースを軸支するための構造を設ける必要があり、既存構造の水道メーターに適用できない。
【０００８】
本発明の目的は、水道メーターが狭い空間に配置され、その周辺にガス配管などの障害物が設置してあるような場合でも、蓋本体を確実に開放操作できる、開閉の自由度が高い水道メーターの蓋構造を提供することにある。本発明の目的は、既存構造の水道メーターに追加工を施す必要もなく適用できる水道メーターの蓋構造を提供することにある。
【課題を解決するための手段】
【０００９】
本発明の水道メーターは、主ケース１の内面上部に配置した表示部３が表示窓４で覆われ、表示部３および表示窓４が、主ケース１にねじ込んだケース蓋５で固定され、ケース蓋５にその開口上面を開閉する蓋構造が設けられている。蓋構造は、ケース蓋５に係合装着されて、ケース蓋５に対して相対回動できるベース枠１３と、ベース枠１３で垂直方向の第１軸２５の回りに回動開閉自在に軸支される連結ピース１４と、連結ピース１４で水平方向の第２軸３２の回りに揺動開閉自在に軸支される蓋本体１５とを含み、蓋本体１５を、ケース蓋５の周方向の任意位置において、第１・第２の両軸２５・３２まわりに開閉できることを特徴とする。
【００１０】
詳しくは、ベース枠１３は、ケース蓋５の開口内縁に嵌まり込む筒壁１８と、筒壁１８の上端から張り出されるフランジ壁１９と、筒壁１８の下端周縁の複数箇所に突設されて、ケース蓋５の開口下縁に係合する係合突起２０とを一体に備えている。ベース枠１３をケース蓋５に装着固定した状態において、フランジ壁１９をケース蓋５の上端面で受け止め、蓋本体１５をフランジ壁１９で受け止める。
【００１１】
ベース枠１３のフランジ壁１９の一部に連結部２１を形成する。連結ピース１４は、基壁２４の下面に突設される第１軸２５と、基壁２４の上面に突設されて、蓋本体１５に設けたヒンジ腕３０を第２軸３２を介して軸支するヒンジブラケット２６とを一体に備えている。第１軸２５を連結部２１に設けた連結穴２８に圧嵌係合して、連結ピース１４とベース枠１３とを相対回転自在に連結する。
【００１２】
本発明の別の水道メーターは、主ケース１の内面上部に配置した表示部３が表示窓４で覆われ、表示部３および表示窓４が、主ケース１にねじ込んだケース蓋５で固定され、ケース蓋５にその開口上面を開閉する蓋構造が設けてある。蓋構造は、ケース蓋５に係合装着されて、ケース蓋５に対して相対回動できるベース枠１３と、ベース枠１３で水平面に沿って揺動開閉自在に軸支される一対の蓋体４０とを含む。以て、一対の蓋体４０が互いに逆向きに開放揺動して表示窓４の上方外面を開放できることを特徴とする。
【００１３】
詳しくは、一対の蓋体４０の接合縁４２の一端に、それぞれ揺動腕４３を突設する。ベース枠１３の上面一部に、両蓋体４０の揺動腕４３をピン５０を介して軸支する軸受部４９を形成する。揺動腕４３と軸受部４９との間に、一対の蓋体４０を開放付勢するばね４１と、ばね４１の付勢力に抗して一対の蓋体４０を閉じ姿勢に保持する蓋ロック機構とを設ける。蓋ロック機構は、軸受部４９でロック姿勢とロック解除姿勢とに切り換え可能に支持されるロックピース５１と、ロックピース５１と各蓋体４０との間に設けられて互いに係脱できるロック爪５２、および係合部５３とで構成する。以て、ロックピース５１をロック解除姿勢に切り換え操作することにより、一対の蓋体４０を自動開放できるようにする。
【発明の効果】
【００１４】
本発明では、ベース枠１３、連結ピース１４、蓋本体１５の三者で蓋構造を構成して、ベース枠１３をケース蓋５に対して相対回動できるようにした。また、ベース枠１３と連結ピース１４とを第１軸２５で連結して、連結ピース１４を垂直方向の第１軸２５の回りに回動できるようにした。さらに、連結ピース１４と蓋本体１５とを第２軸３２で連結して、蓋本体１５水平方向の第２軸３２の回りに揺動開閉できるようにした。こうした蓋構造によれば、ベース枠１３を回転操作することにより、蓋本体１５をケース蓋５の周方向の任意位置に変位させたうえで、第１・第２の両軸２５・３２の回りに開閉できるので、従来の蓋構造に比べて、第１軸２５および第２軸３２の位置を自由に変更でき、その分だけ蓋開閉時の自由度を向上できる。したがって、水道メーターが狭い空間に配置され、その周辺にガス配管などの障害物が設置してあるような場合でも蓋本体１５を確実に全開放操作して、検針作業を簡便に行える。
【００１５】
ベース枠１３は、ケース蓋５の開口周縁壁を利用してベース枠１３を係合装着し、装着状態におけるフランジ壁１９をケース蓋５の上端面で受け止め、蓋本体１５をフランジ壁１９で受け止めるようにした蓋構造によれば、ベース枠１３を係合装着するための係合溝や、蓋本体１５を係合するための段部などをケース蓋５の側に形成する必要がないので、従来の蓋構造に比べて、蓋構造を既存構造の水道メーターに容易に適用でき、その汎用性を向上できる点で有利である。
【００１６】
ベース枠１３のフランジ壁１９の一部に連結部２１を形成しておき、連結ピース１４に設けた第１軸２５を連結部２１の連結穴２８に圧嵌係合することで、連結ピース１４とベース枠１３とを相対回転自在に連結できるので、ベース枠１３と連結ピース１４との組み立てを少ない手間で簡単に行える。
【００１７】
図６に示すように、ケース蓋５に対して相対回動できるベース枠１３と、ベース枠１３で水平面に沿って揺動開閉自在に軸支される一対の蓋体４０とを含んで蓋構造を構成し、一対の蓋体４０が互いに逆向きに開放揺動して表示窓４の上方外面を開放できるようにすると、各蓋体４０をその最大幅分だけ開放操作することで、表示窓４を全開放できるので、開放時に蓋体４０がケース蓋５からはみ出る量を小さくできる。したがって、水道メーターが狭い空間に配置され、その周辺にガス配管などの障害物が設置してあるような場合でも、蓋体４０を確実に開放操作できる蓋構造が得られる。
【００１８】
各蓋体４０に設けた揺動腕４３を、ベース枠１３に設けた軸受部４９でピン５０を介して軸支したうえで、揺動腕４３と軸受部４９との間に、一対の蓋体４０を開放付勢するばね４１と、ばね４１の付勢力に抗して一対の蓋体４０を閉じ姿勢に保持する蓋ロック機構とを設けると、ロックピース５１をロック解除姿勢に切り換え操作することにより、一対の蓋体４０をばね４１で自動的に開放できるので、蓋体４０の開放を少ない手間で簡単に行うことができ、その分だけ検針作業の手間を軽減できる。常態においては、ロック爪５２と係合部５３とが係合して、蓋体４０を閉じ状態に保持するので、表示窓４に埃が堆積したり、異物が付着するのを確実に防止して、表示部３の積算表示を見やすい状態に維持できる。
【実施例１】
【００１９】
図１ないし図５は本発明に係る水道メーターの蓋構造の実施例１を示す。図２において、水道メーターは、鋳造品からなる主ケース１と、主ケース１の内部に区画した水室に収容される羽根車２と、主ケース１の内面上部に組み込まれる表示部３および表示窓４と、主ケース１の上部周面にねじ込まれるケース蓋５と、ケース蓋５の開口上面を開閉する蓋構造などで構成する。主ケース１の下部外面には、入り口６および出口７が突設してある。ケース蓋５は鋳造品からなり、その上壁８の上下面と開口内周面のそれぞれに旋削加工が施してある。上壁８に連続する筒壁の内面にはねじが形成してある。
【００２０】
表示部３は、多数個の表示リングや、一群のギヤなどを筒状のケース内に組み込んでユニット部品化されており、羽根車２の回転動作を受けて水室の通過水量を積算表示する。表示部３および表示窓４は、主ケース１にねじ込んだケース蓋５で固定され、この固定状態における表示窓４は、窓周縁の内外面に配置したリング状のパッキン９・１０で密封してある。
【００２１】
蓋構造は、ケース蓋５に係合装着されるベース枠１３と、ベース枠１３で第１軸２５の回りに回動開閉自在に軸支される連結ピース１４と、連結ピース１４で第２軸３２の回りに揺動開閉自在に軸支される蓋本体１５とで構成する。
【００２２】
図２においてベース枠１３は、ケース蓋５の上壁８の内面に嵌め込まれる断面円形の筒壁１８と、筒壁１８の上端周縁に張り出される円形のフランジ壁１９と、筒壁１８の下端周縁に突設される６個の係合突起２０とを一体に備えたプラスチック成形品からなり、フランジ壁１９の一部に、連結ピース１４を組み付けるための連結部２１が上向きに膨出形成してある。
【００２３】
図３に示すように、筒壁１８を円形に仕上げられた上壁８の内面に嵌め込み、係合突起２０を上壁８の下面内縁に係合することにより、ベース枠１３をケース蓋５に対して相対回転自在に連結し、分離不能に装着できる。なお、係合突起２０は、パッキン１０によって形成される表示窓４と上壁８との間の隙間を利用して、上壁８の下面内縁に係合される。
【００２４】
連結ピース１４は、四角形状の基壁２４の下面に第１軸２５を下向きに突出し、基壁２４の上面対向辺部に一対のヒンジブラケット２６を立設したプラスチック成形品からなる。第１軸２５は筒軸からなり、その対向筒壁をスリットで分断することにより弾性変形できる。筒壁の下端周縁には、部分円弧状の抜止爪２７が突設してある。図３および図４に示すように、第１軸２５は、先の連結部２１に形成した上下貫通状の連結穴２８に係合装着されて、その抜止爪２７が連結穴２８の下側の開口縁と係合することにより抜け止めされる。第１軸２５を連結部２１に圧嵌係合することにより、連結ピース１４とベース１３枠とは、第１軸２５の回りに相対回転できる。
【００２５】
蓋本体１５は円盤状のプラスチック成形品からなり、対向周縁の上面一側にヒンジ腕３０を突設し、他側につまみ３１を突設してなる。図３に示すように、ヒンジ腕３０を一対のヒンジブラケット２６の間に差し込み装着し、両者２６・３０を第２軸３２で連結することにより、蓋本体１５を連結ピース１４に対して揺動可能に連結できる。第２軸３２はスプリングピンからなり、その両端がヒンジブラケット２６で軸支される。なお、ベース枠１３、連結ピース１４、蓋本体１５の三者は、第１軸２５および第２軸３２で連結した状態で供給される。
【００２６】
使用時には図３に示すように、筒壁１８、および係合突起２０を上壁８に嵌係合して、ベース枠１３をケース蓋５に対して相対回転自在に連結する。この組み付け状態においては、ベース枠１３を回動操作することにより、ケース蓋５の周方向の任意位置において、蓋本体１５を第１・第２の両軸２５・３２の回りに開閉できる。したがって、従来のこの種の蓋構造に比べて、蓋開閉の自由度を高めることができる。
【００２７】
例えば、図５（ａ）に示すように、水道メーターが角箱状のケース３５に収容され、その蓋構造の上面上方にガス配管３６が配置してあるような場合には、想像線で示すように、蓋本体１５を第２軸３２の回りに揺動開放しようとしても、ガス配管３６が邪魔になって、蓋本体１５を全開放できない。しかし、図５（ｂ）に示すように、ベース枠１３を回動操作して、連結ピース１４の位置をガス配管３６から遠ざけ、蓋本体１５を第１軸２５の周りにスライド開放して、蓋本体１５をガス配管３６とケース３５の側壁との間の空間に臨ませると、蓋本体１５を第２軸３２を中心にして全開放できるので、表示部３の積算数字を確実に読み取ることができる。検針後には、開放手順とは逆の手順にしたがって操作することにより、蓋本体１５でケース蓋５の開口面を塞ぐことができる。
【００２８】
蓋構造をケース蓋５に装着した状態においては、ベース枠１３のフランジ壁１９がケース蓋５の上壁８で受け止められ、蓋本体１５はフランジ壁１９で受け止められている。したがって、ケース蓋５の上壁８は、単に平坦面として形成してあればよく、ケース蓋５の上端周面にベース枠を係合するための係合溝を形成したり、蓋本体の周縁壁が被さる係合段部などを形成する必要がないので、既存構造の水道メーターであっても、ケース蓋５にに追加工を施す必要もなく蓋構造を適用できる。
【実施例２】
【００２９】
図６ないし図８は蓋構造の実施例２を示す。そこでは、ケース蓋５に対して相対回動できるベース枠１３と、ベース枠１３で水平面に沿って揺動開閉自在に軸支される一対の蓋体４０・４０と、一対の蓋体４０を開放付勢するばね４１と、ばね４１の付勢力に抗して一対の蓋体を閉じ姿勢に保持する蓋ロック機構などで蓋構造を構成する。なお、ベース枠３などの基本構成は実施例１と同様であるため、ここでは実施例１と異なる点について説明する。
【００３０】
一対の蓋体４０は、それぞれ半円状のプラスチック成形品からなり、両蓋体４０の接合縁４２の一端に揺動腕４３を突設し、他端につまみ４４を突設してなる。揺動腕４３の基端寄りには、係合部４５とばね穴４６とが上下貫通状に形成してある。ベース枠１３の上面一部には、断面コ字状の軸受部４９が一体に形成してあり、その上下壁に固定したピン（揺動軸）５０・５０で揺動腕４３を軸支することにより、各蓋体４０は互いに逆向きに開放揺動できる。
【００３１】
ばね４１は、各ピン５０に外嵌するコイル部と、コイル部から連出されるばね腕とを一体に備えており、各ばね腕の先端を先のばね穴４６に係止することにより、一対の蓋体４０を開放方向へ向かって揺動付勢する。
【００３２】
蓋ロック機構は、ロック姿勢とロック解除姿勢とに上下変位できるロックピース５１と、ロックピース５１の下端両側に形成されるロック爪５２と、揺動腕４３に形成した係合部４５とで構成する。ロックピース５１は弾性腕５３を介して軸受部４９の上壁と一体に形成されており、軸受部４９の上壁上面に突出するボタン５４を押し込み操作すると、ロック爪５２と係合部４５との係合状態を解除できる。ロック爪５２は揺動腕４３の下面側に位置しており、係合部４５に対して下面側から係合している。
【００３３】
以上のように構成した蓋構造によれば、周辺の状況に応じて、ベース枠１３を回動操作して軸受部４９の位置を周方向へずらしたのち、ボタン５４を押し込み操作してロックピース５１をロック解除状態に切り換えることにより、両蓋体４０を自動的に同時開放できる。検針後には、各蓋体４０をばね４１の付勢力に抗して閉じ操作することにより、ロック爪５２が揺動腕４３の下面側をくぐり抜けて係合部４５と係合するので、両蓋体４０を閉じ状態に保持できる。
【００３４】
上記の実施例以外に、第１軸２５はベース枠１３と一体に形成することができ、その場合には、連結穴２８を基壁２４に形成する。ベース枠１３と連結ピース１４とは、独立した部品からなる第１軸２５で相対回転可能に連結することができる。第２軸３２は、連結ピース１４とヒンジ腕３０のいずれか一方と一体に形成することができる。ベース枠１３は上壁８の外嵌する状態で回転可能に係合連結することができる。
【００３５】
実施例２における蓋体４０は、ばね４１で開放付勢する必要はなく、手動で開き操作する構造であってもよい。ばね４１は、キックばね以外の板ばねや圧縮ばねなどを適用できる。ロックピース５１は押しボタン構造とする必要はなく、スライド操作、あるいは回動操作によって、ロック状態とロック解除状態とに切り換えることができる。ロック爪５２を蓋体４０側に設け、係合部４５をロックピース５１側に設けることができる。
【図面の簡単な説明】
【００３６】
【図１】蓋本体を開放した状態の斜視図である。
【図２】蓋構成部品の一部を破断して示す分解正面図である。
【図３】蓋構造の縦断側面図である。
【図４】図３におけるＡ―Ａ線断面図である。
【図５】蓋開放動作を示す動作説明図である。
【図６】実施例２の蓋構造の斜視図である。
【図７】実施例２の蓋構造の横断平面図である。
【図８】図７におけるＢ―Ｂ線断面図である。
【符号の説明】
【００３７】
１  主ケース
３  表示部
４  表示窓
５  ケース蓋
１３  ベース枠
１４  連結ピース
１５  蓋本体
２５  第１軸
３２  第２軸
【図１】
2006058208.tif 000003
【図２】
2006058208.tif 000004
【図３】
2006058208.tif 000005
【図４】
2006058208.tif 000006
【図５】
2006058208.tif 000007
【図６】
2006058208.tif 000008
【図７】
2006058208.tif 000009
【図８】
2006058208.tif 000010